(57)【要約】      （修正有）【課題】電力を一切使用しなく、省エネ可能であり、モップの他に、タオル、靴下や雑巾などを快速で省力に脱水することもできる脱水装置を提供する。【解決手段】ケースと、回動ユニットと、伝動ユニットと、プッシャユニットと、を含み、含水物件を脱水するための脱水装置において、前記ケースは、内部に収容空間及び組付部が設けられており、前記収容空間と組付部が仕切子で仕切られており、前記回動ユニットは、受け子と、伝動軸と、を含み、前記受け子は、前記収容空間に設けられており、含水物件を収容可能であり、前記伝動軸は、前記組付部に設けられており、前記受け子と連結しており、前記伝動ユニットは、前記組付部に設けられており、前記伝動軸と連結しており、前記プッシャユニットは、前記伝動ユニットと連結している。【選択図】図１
0003142275.tif 000002
【実用新案登録請求の範囲】
【請求項１】
ケースと、回動ユニットと、伝動ユニットと、プッシャユニットと、を含み、含水物件を脱水するための脱水装置において、
前記ケースは、内部に収容空間及び組付部が設けられており、前記収容空間と組付部が仕切子で仕切られており、
前記回動ユニットは、受け子と、伝動軸と、を含み、前記受け子は、前記収容空間に設けられており、含水物件を収容可能であり、前記伝動軸は、前記組付部に設けられており、前記受け子と連結しており、
前記伝動ユニットは、前記組付部に設けられており、前記伝動軸と連結しており、
前記プッシャユニットは、前記伝動ユニットと連結しており、
前記プッシャユニットを操作すると、前記プッシャユニットが前記伝動ユニットを駆動し、前記伝動ユニットが前記回動ユニットを回転させ、これにより、含水物件を脱水することができることを特徴とする脱水装置。
【請求項２】
前記伝動ユニットは、ギア組によって構成されたことを特徴とする、請求項１に記載の脱水装置。
【請求項３】
前記伝動ユニットは、ラックと、第一ギアと、第二ギアと、一方向回転可能ギアと、を含み、前記ラックは前記第一ギアと噛合っており、前記第一ギアと第二ギアが同軸に設けられており、前記一方向回転可能ギアは、前記伝動軸と同軸に前記伝動軸に設けられており、且つ前記第二ギアと噛合っていることを特徴とする、請求項１に記載の脱水装置。
【請求項４】
前記伝動ユニットは、更に、弾性子を含み、前記弾性子は、一端が前記ラックに固定されており、他端が前記組付部に固定されていることを特徴とする、請求項３に記載の脱水装置。
【請求項５】
前記組付部には、ガイドローラと、ガイドレールとが設けられており、前記ガイドローラ及びガイドレールは、前記ラックの両側に設置されており、前記ラックの移動方向を規制するものであることを特徴とする、請求項３に記載の脱水装置。
【請求項６】
前記プッシャユニットには、ペダルと、プッシャとが設けられており、前記組付部には支持枠が設けられており、前記プッシャは、第一端と、第二端と、第三端と、を有し、前記ペダルが前記プッシャの第一端に設けられており、前記プッシャの第二端が前記支持枠に枢着されており、前記プッシャの第三端が前記伝動ユニットと連接していることを特徴とする、請求項１に記載の脱水装置。
【考案の詳細な説明】
【技術分野】
【０００１】
本考案は、脱水装置に関し、特に、プッシャユニットを操作すると、プッシャユニットが伝動ユニットを駆動し、伝動ユニットが回動ユニットを回転させ、これにより、含水物件を脱水することができる脱水装置に関するものである。
【背景技術】
【０００２】
室内の床面を清潔するために、モップがよく使用され、従来のモップは、ハンドルと、ハンドルの末端に結合された生地と、から構成され、生地を快速で省力に脱水するために、押付筒により生地を絞って脱水することが一般である。
【０００３】
別の従来のモップは、回転式であり、ハンドルと、回転盤と、生地とから構成され、ハンドルの一端が回転盤の中心に枢着されており、生地が回転盤の下面に設けられており、この回転式モップにより室内の床面を清潔するときには、回転盤が回転可能であるので、清潔効果を向上可能であり、しかし、生地が回転盤の下面に設けられており、且つ生地が短すぎであるので、生地を束に集中することができなく、だから、上記の押付筒により生地を絞って脱水することができない。
【考案の開示】
【考案が解決しようとする課題】
【０００４】
本考案の主な目的は、生地を快速で省力に脱水することができる脱水装置を提供することにある。
【課題を解決するための手段】
【０００５】
請求項１の考案は、ケースと、回動ユニットと、伝動ユニットと、プッシャユニットと、を含み、含水物件を脱水するための脱水装置において、
前記ケースは、内部に収容空間及び組付部が設けられており、前記収容空間と組付部が仕切子で仕切られており、
前記回動ユニットは、受け子と、伝動軸と、を含み、前記受け子は、前記収容空間に設けられており、含水物件を収容可能であり、前記伝動軸は、前記組付部に設けられており、前記受け子と連結しており、
前記伝動ユニットは、前記組付部に設けられており、前記伝動軸と連結しており、
前記プッシャユニットは、前記伝動ユニットと連結しており、
前記プッシャユニットを操作すると、前記プッシャユニットが前記伝動ユニットを駆動し、前記伝動ユニットが前記回動ユニットを回転させ、これにより、含水物件を脱水することができることを特徴とする脱水装置としている。
請求項２の考案は、前記伝動ユニットは、ギア組によって構成されたことを特徴とする、請求項１に記載の脱水装置としている。
請求項３の考案は、前記伝動ユニットは、ラックと、第一ギアと、第二ギアと、一方向回転可能ギアと、を含み、前記ラックは前記第一ギアと噛合っており、前記第一ギアと第二ギアが同軸に設けられており、前記一方向回転可能ギアは、前記伝動軸と同軸に前記伝動軸に設けられており、且つ前記第二ギアと噛合っていることを特徴とする、請求項１に記載の脱水装置としている。
請求項４の考案は、前記伝動ユニットは、更に、弾性子を含み、前記弾性子は、一端が前記ラックに固定されており、他端が前記組付部に固定されていることを特徴とする、請求項３に記載の脱水装置としている。
請求項５の考案は、前記組付部には、ガイドローラと、ガイドレールとが設けられており、前記ガイドローラ及びガイドレールは、前記ラックの両側に設置されており、前記ラックの移動方向を規制するものであることを特徴とする、請求項３に記載の脱水装置としている。
請求項６の考案は、前記プッシャユニットには、ペダルと、プッシャとが設けられており、前記組付部には支持枠が設けられており、前記プッシャは、第一端と、第二端と、第三端と、を有し、前記ペダルが前記プッシャの第一端に設けられており、前記プッシャの第二端が前記支持枠に枢着されており、前記プッシャの第三端が前記伝動ユニットと連接していることを特徴とする、請求項１に記載の脱水装置としている。
【考案の効果】
【０００６】
本考案の脱水装置によれば、次のような効果がある。
（１）プッシャユニットを操作すると、プッシャユニットが伝動ユニットを駆動し、伝動ユニットが回動ユニットを回転させ、これにより、含水物件を快速で省力に脱水することができる。
（２）電力を一切使用しなく、省エネ可能である。
（３）モップの他に、タオル、靴下や雑巾などを快速で省力に脱水することもできる。
【考案を実施するための最良の形態】
【０００７】
まず、図１乃至図４を参照する。本考案に係る脱水装置は、ケース１と、回動ユニット２と、伝動ユニット３と、プッシャユニット４と、を含み、含水物件５を脱水することができる。
【０００８】
ケース１は、円筒形状を呈し、底部にローラ１４が少なくとも一つ設けられており、ローラ１４によりケース１の移動が便利になり、且つケース１の内部に収容空間１１及び組付部１２が設けられており、収容空間１１と組付部１２が仕切子１３で仕切られており、仕切子１３により収容空間１１内の水はケース１の底部から流出することができなくなり、仕切子１３は、高い部１３１と、低い部１３２と、を有し、これにより、高い部１３１に流入する水が低い部１３２に集中するようになり、高い部１３１には突起１３３が設けられている。組付部１２は、ケース１の底部に設けられてもいいし、仕切子１３の高い部１３１の下に設けられてもよく、且つケース１と一体成形されてもいいし、ケース１と別体に成形されてもよく、移動を便利にするために、組付部１２にローラ１４を少なくとも一つ設けてもよい。
【０００９】
回動ユニット２は、受け子２１と、伝動軸２２と、を含み、受け子２１は、収容空間１１に設けられており、底部の中心に凸部２１２が設けられており、凸部２１２が仕切子１３の突起１３３と接触しており、受け子２１は、上に向いている開口１１１を有し含水物件５を収容する受けブラケットであってもいいし、含水物件５を挟み可能な挟み装置であってもよく、本実施例では、ケース１の開口には、受け子２１の倒れや脱出を防止するためのストッパー１５が設けられている。伝動軸２２は、組付部１２に設けられており、一端が仕切子１３を通過して受け子２１の底部の凸部２１２と連結しており、他端が組付部１２に枢着されている。
【００１０】
伝動ユニット３は、組付部１２に設けられており、伝動軸２２と連結しており、例えばギア組によって構成され、ラック３１と、第一ギア３２と、第二ギア３３と、一方向回転可能ギア３４と、弾性子３５とを含み、ラック３１は第一ギア３２と噛合っており、組付部には、更に、ガイドローラ１２１と、ガイドレール１２２とが設けられており、ガイドローラ１２１及びガイドレール１２２は、ラック３１の両側に設置されており、ラック３１の移動方向を規制するものであり、そしてガイドローラ１２１によりラック３１の移動が更にスムーズになる。
【００１１】
弾性子３５は、バネであってもいいし、ゴムリングあってもよく、ラック３１の底部にピン３１１が設けられており、組付部１２のガイドローラ１２１とガイドレール１２２の間の上面には溝１２３が設けられており、溝１２３内には、ピン１２４が設けられており、弾性子３５も設けられており、弾性子は、一端がラック３１のピン３１１に固定されており、他端が組付部１２のピン１２４に固定されており、これにより、ラック３１を移動しているときには、弾性子の弾力によって、ラック３１には本来の位置に戻す回復力が作用している。
【００１２】
第一ギア３２と第二ギア３３が同軸に設けられており、一方向回転可能ギア３４は、伝動軸２２と同軸に伝動軸２２に設けられており、且つ第二ギア３３と噛合っており、これにより、ラック３１を移動すると、第一ギア３２、第二ギア３３及び一方向回転可能ギア３４が回転するようになり、ひいては伝動軸２２が回転され、一方向回転可能ギア３４は第一回転方向Ｒ１に回転しているときだけ、伝動軸２２を回転可能であり、だから、伝動軸２２は何時も第一回転方向Ｒ１に回転可能であり、なお、一方向回転可能ギア３４の内部の構造は周知なものであるので、説明を省略した。そして伝動軸２２の回転数を調整するために、第二ギア３３の大きさを変更してもよい。。
【００１３】
プッシャユニット４は、伝動ユニット３と連結しており、ペダル４１と、プッシャ４２とが設けられており、組付部１２には、更に、シャフト１２６が設けられた支持枠１２５が設けられており、ペダル４１がプッシャ４２の第一端４２１に設けられており、プッシャ４２の第二端４２２が支持枠１２５のシャフト１２６に枢着されており、プッシャ４２の第三端４２３は、伝動ユニット３のラック３１と接触しており、又は伝動ユニット３のラック３１に連接されており、これにより、ペダル４１を押下げると、第三端４２３によってプッシャ４２が回転してラック３１が移動されるようになる。
【００１４】
また、図５及び図６を参照する。図５に示すように、ユーザがペダル４１を押下げると、プッシャ４２の第二端４２２が回転して、ラック３１が押されて第一移動方向Ｍ１に移動し、弾性子３５が引かれ、ラック３１が第一ギア３２を駆動し第二回転方向Ｒ２に回転し、且つ第二ギア３３と第一ギア３２とが同軸に設けられているので、第二ギア３３は、第二回転方向Ｒ２に回転し、一方向回転可能ギア３４を駆動し第一回転方向Ｒ１に回転させ、なお、一方向回転可能ギア３４が第一回転方向Ｒ１に回転されるので、一方向回転可能ギア３４が伝動軸２２を駆動し第一回転方向Ｒ１に回転させる。
【００１５】
図６に示すように、ユーザがペダル４１への押下げを開放すると、弾性子３５の弾力により、ラック３１は第一移動方向Ｍ１の反対方向である第二移動方向Ｍ２に移動して、プッシャ４２が上記の逆方向に回転してペダル４１を押上げ、また、ラック３１が第一ギア３２を駆動し第一回転方向Ｒ１に回転し、且つ第二ギア３３と第一ギア３２とが同軸に設けられているので、第二ギア３３は、第一回転方向Ｒ１に回転し、一方向回転可能ギア３４を駆動し第二回転方向Ｒ２に回転させ、なお、一方向回転可能ギア３４は、第二回転方向Ｒ２に回転されているときに、伝動軸２２を駆動することができないので、伝動軸２２は第一回転方向Ｒ１に回転し続ける。
【００１６】
また、図１乃至図６を参照する。本実施例では、含水物件５は、モップであり、ハンドル５１と、回転盤５２と、生地５３とから構成され、ハンドル５１の一端が回転盤５２の中心に枢着されており、生地５３が回転盤５２の下面に設けられており、含水物件５を脱水しようとする場合には、受け子２１内に含水物件５の回転盤５２及び生地５３を置いて、本考案に係るプッシャユニット４を操作すると、プッシャユニット４が伝動ユニット３を駆動し、伝動ユニット３が回動ユニット２を回転させ、ひいては回動ユニット２が回転盤を回転し、これにより、含水物件５を脱水することができる。
【００１７】
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１８】
【図１】本考案に係る脱水装置の斜視図である。
【図２】本考案に係る脱水装置及び含水具の断面概略図である。
【図３】本考案に係る脱水装置の一部の分解斜視図である。
【図４】本考案に係る脱水装置の一部の分解斜視図である。
【図５】本考案に係る脱水装置の作動図であって、ペダルが押下げられた状態である。
【図６】本考案に係る脱水装置の作動図であって、ペダルが開放された状態である。
【符号の説明】
【００１９】
１  ケース
２  回動ユニット
３  伝動ユニット
４  プッシャユニット
５  含水物件
１１  収容空間
１２  組付部
１３  仕切子
１４  ローラ
１５  ストッパー
２１  受け子
２２  伝動軸
３２  第一ギア
３３  第二ギア
３４  一方向回転可能ギア
３５  弾性子
４１  ペダル
４２  プッシャ
５１  ハンドル
５２  回転盤
５３  生地
１１１  開口
１２１  ガイドローラ
１２２  ガイドレール
１２３  ガイド溝
１２４  ピン
１２５  支持枠
１２６  シャフト
１３１  高い部
１３２  低い部
１３３  突起
２１２  凸部
３１１  ピン
４２１  第一端
４２２  第二端  
４２３  第三端
Ｒ１  第一回転方向
Ｒ２  第二回転方向
Ｍ１  第一移動方向
Ｍ２  第二移動方向
【図１】
0003142275.tif 000003
【図２】
0003142275.tif 000004
【図３】
0003142275.tif 000005
【図４】
0003142275.tif 000006
【図５】
0003142275.tif 000007
【図６】
0003142275.tif 000008